(57)【要約】【課題】  テレスコピック方式のカバーを最小限の大きさで作製しても、カバーの谷部に付着した切粉がカバーの内側に侵入することなく、またカバーに設けたワイパを損傷することもない。【解決手段】  互いに一定方向に重なり合って伸縮自在なカバー群１を有し、カバー群１の一端となる最下層の第１カバー１ａの端部に、基台又は移動体に取り付けるための第１フランジ板４ａを設けた。この第１フランジ板４ａと前記第１カバー１ａとの接合部のうち、第１カバー１ａの天板２との接合部には第２カバー１ｂの２倍の高さを有する傾斜部５を設けて接合した。【選択図】  図１
2006123126.tif 000002
【特許請求の範囲】
【請求項１】
移動体が摺動する基台上の摺動面を覆って摺動面を保護する摺動面保護装置であって、
互いに重なり合って前記移動体の摺動方向に伸縮自在なカバー群から成り、前記カバー群の一端となる最下層の第１カバーの端部が、前記基台又は前記移動体の何れか一方の、前記第１カバーより大きい壁面に取り付けられ、
前記壁面と前記第１カバーの天板との間に、前記第１カバーに向かって下り傾斜となる傾斜部を設けたことを特徴とする摺動面保護装置。
【請求項２】
第１カバーの端部には、前記第１カバーよりも大きいフランジ板が、壁面取付時に密着するように設けられ、傾斜部を、前記フランジ板と前記第１カバーの天板との接合部に設けてなる請求項１記載の摺動面保護装置。
【請求項３】
傾斜部は、第１カバーの他端に外側から相対移動可能に重ね合わせられている第２カバーの厚みより大きな高さを有する請求項１又は２記載の摺動面保護装置。
【請求項４】
カバー群の天板は、伸縮方向と交差する方向に傾斜が付与されて成る請求項１乃至３の何れかに記載の摺動面保護装置。
【発明の詳細な説明】
【技術分野】
【０００１】
本発明は、工作機械の摺動面を切粉等から保護する摺動面保護装置に関する。
【背景技術】
【０００２】
工作機械において、移動体が摺動する摺動面は、切削等により発生する切粉の塵から保護ために金属製の保護カバーで覆われている。この保護カバーは、移動体のストローク範囲の全てにわたって設ける必要があるし、移動体をスムーズに移動させなければならない。そのため、互いに重なり合って伸縮自在なカバー群を有するテレスコピック方式の保護カバーを使用することが多い。
このテレスコピック方式のカバーは、伸縮ストロークを満足するために複数枚のカバーを相対移動可能に重ね合わせて、重ね合わせ部には内部に切粉や切削液等が入り込まないようにワイパが取り付けられている。（例えば、特許文献１参照）
【特許文献１】特開平５−３１８２７０号公報
【発明の開示】
【発明が解決しようとする課題】
【０００３】
しかし、上記テレスコピック方式のカバーは、水平に配置された摺動面に対して使用する場合、図５に示すように、最も低い谷部、即ち移動体或いは基台への取付部近くの最下層のカバー上に切粉等の塵が集積されることになる。図５は、テレスコピック方式の保護カバーの要部端面図を示し、１１はカバー群であり、１１ａは最下層のカバー、１２は移動体又は基台に取り付けるためのフランジ板、１３は切粉を示し、収縮したカバー群１１の最下層に切粉が集積された状態を示している。
【０００４】
この集まった切粉１３は、カバー群１１の収縮動作で挟み込まれて圧迫され、やがてワイパ１４と最下層の保護カバー１１ａの隙間に潜り込み、カバー群１１の内側に侵入してしまうことになる。また、この圧迫された切粉によって、ワイパ１４の損傷が発生して保護機能を果たさなくなってしまう。
これを避けるために、個々のカバーの幅を大きくして切粉が集積し難いカバーを使用すれば、切粉の挟み込みが発生し難い構成にできると考えられるが、保護装置の大型化を招くことになり、工作機械を小型化する際の障害となってしまう。
【０００５】
そこで、本発明はこのような問題点に鑑み、テレスコピック方式の保護カバーを最小限の大きさで作製しても、保護カバーの谷部に付着した切粉が内側に侵入することがなく、またワイパを損傷することのない摺動面保護装置を提供することを目的とする。
【課題を解決するための手段】
【０００６】
上記課題を解決する為に、請求項１に記載の発明は、移動体が摺動する基台上の摺動面を覆って摺動面を保護する摺動面保護装置であって、互いに重なり合って前記移動体の摺動方向に伸縮自在なカバー群から成り、前記カバー群の一端となる最下層の第１カバーの端部が、前記基台又は前記移動体の何れか一方の、前記第１カバーより大きい壁面に取り付けられ、前記壁面と前記第１カバーの天板との間に、前記第１カバーに向かって下り傾斜となる傾斜部を設けたことを特徴とする。
このように傾斜部を設けることで、第１カバー上に集積された切粉等がカバー群の収縮動作により圧迫されても、傾斜部を競り上がって拡散して行くため、第１カバー上を摺動する第２カバーに設けられたワイパの隙間に潜り込みことが無い。従って、カバー群を構成する個々のカバーの幅は最小限の大きさで良いし、ワイパを損傷するようなことも無くなる。
【０００７】
請求項２の発明は、請求項１に記載の発明において、第１カバーの端部には、前記第１カバーよりも大きいフランジ板が、壁面取付時に密着するように設けられ、傾斜部を、前記フランジ板と前記第１カバーの天板との接合部に設けてなることを特徴とする。
この構成により、カバーの移動体或いは基台への取り付けが容易となるほか、傾斜部の形成も容易となる。
【０００８】
請求項３の発明は、請求項１又は２に記載の発明において、傾斜部は、第１カバーの他端に外側から相対移動可能に重ね合わせられている第２カバーの厚みより大きな高さを有することを特徴とする。
この構成により、傾斜部は十分大きいので、切粉がフランジ板と第１カバーとの間に挟持されて圧迫されるようなことがなく、良好に傾斜部を競り上がって拡散して行く。
【０００９】
請求項４の発明は、請求項１乃至３の何れかに記載の発明において、カバー群の天板は、伸縮方向と交差する方向に傾斜が付与されて成ることを特徴とする。
この構成により、集積された切粉等は、カバー群の伸縮動作でカバー上に留まることなく良好にカバーから落ちて行く。
【発明の効果】
【００１０】
このように、本発明によれば、第１カバー上に集積された切粉がカバー群の収縮動作により圧迫されても、傾斜部を競り上がって拡散して行くため、第１カバー上を摺動する第２カバーに設けられたワイパの隙間に潜り込みことが無い。従って、カバー群を構成する個々のカバーの幅は最小限の大きさで良いし、ワイパを損傷するようなことも無くなる。
【発明を実施するための最良の形態】
【００１１】
以下、本発明を具体化した実施の形態を、図面に基づいて詳細に説明する。図１〜図３は本発明に係る摺動面保護装置の一例を示し、図１は側面図、図２は外観図、図３はＡ部拡大図である。図において、１は伸縮するカバー群であり、カバー群１は最下層に位置する第１カバー１ａから順に外側を覆うように第２〜第７カバー（１ｂ〜１ｇ）が重ねられて形成されている。各カバーは摺動して互いに重ね合わせ部を変化させて相対移動ができ、カバー群１全体が伸縮動作できる。
【００１２】
各カバーは、第１カバー１ａから順に一回りずつ大きく形成され、く字状に折り曲げ形成された天板２と、天板２の左右端部に垂設された側板３を有している。また、カバー群１の先端或いは後端となる第１カバー１ａの先端、及び第７カバー１ｇの後端は、それぞれカバー群１が伸縮する方向に直交するように配置された第１フランジ板４ａ、及び第２フランジ板４ｂが接合され、移動体或いは基台との連結部を形成している。
【００１３】
第１及び第２フランジ板４ａ，４ｂは、接合する第１及び第７カバー１ａ，１ｇより大きく形成され、カバーとの接合部周囲に移動体或いは基台と連結するための取付面が形成されている。このうち、第１フランジ板４ａと第１カバー１ａとの接合部は、図３に示すように第１カバー１ａに向けて下り傾斜とした傾斜部５を設けて接合されている。この傾斜部５は略４５°の傾斜で形成され、第２カバー１ｂの厚みの略２倍の高さまで達する高さを有して天板２全体に形成されている。
【００１４】
図４は、カバー群１が完全に収縮した状態のＡ部端面図を示している。この図４に示すように、第１カバー１ａを覆うように重ね合わせられた第２カバー１ｂの先端部裏面には第１カバー１ａ上に付着した切粉等を拭き払うためのワイパ６が設けられ、収縮する際重ね合わせ部から切粉等が内部の摺動面に侵入しないよう形成されている。尚、このワイパ６は、第３〜第７カバーの先端部裏面にも同様に設けられている。
【００１５】
このように形成された摺動面保護装置は、例えば第１フランジ板４ａが移動体に連結され、また第２フランジ板４ｂが基台に連結されて使用され、移動体が前後方向に摺動する場合、摺動面保護装置は移動体の前方及び後方の双方に設置される。そして、移動体の移動に合わせて一方が収縮したら他方が伸張動作して、基台上の摺動面を常時保護し、天板２に堆積した切粉等は次のように移動する。
【００１６】
切削加工等で摺動面保護装置上に落ちた切粉等は、カバー群１の伸縮動作により徐々に最も低い第１カバー１ａ上に移動し、第１フランジ板４ａと第２カバー１ｂのワイパ６の間に集積されて挟み込まれる。そして、集積された切粉等の塵に、カバー群１の収縮動作による第２カバー１ｂのワイパ６の圧迫作用が働くと、切粉等は傾斜部５を競り上がって行くと同時に天板２の傾斜面を下がる移動を始める。こうして、やがて天板２の端部から下に落ちて行く。
【００１７】
このように、カバー群１の谷部となる部位に傾斜部を設けることで、第１カバー上に集積された切粉等がカバー群の収縮動作により圧迫されても、傾斜部を競り上がって拡散して行くため、第１カバー上を摺動する第２カバーに設けられたワイパの隙間に潜り込むことが無い。そのため、カバー群を構成する個々のカバーの幅は最小限の大きさで良いし、ワイパを損傷するようなことも無くなる。
また、傾斜部を第２カバーの厚みの略２倍の高さで形成することで、集積された切粉等は良好に傾斜部を競り上がって拡散して行くし、天板を傾斜させることでカバー群の伸縮動作でカバー上に留まることなく良好にカバーから落ちて行く。
【００１８】
尚、上記実施の形態では、天板をく字状に形成したカバー群１を備えたが、天板２は一定方向に傾斜させても良いし平坦に形成して全体でコ字状のカバーを連結した単純な形状としてもよい。また、水平に設置する場合を説明したが、勿論傾斜している部位であっても、縦方向に伸縮する形態であっても良好に使用できる。
また、カバー群１は７枚のカバーを重ねて形成しているが、重ねるカバーの数は、設置する摺動面の形状や大きさによって変更される。
更に、傾斜部５は第２カバー１ｂの略２倍の高さとしているが、少なくとも第２カバー１ｂの厚み程度の高さを有していれば、カバー群１が収縮動作した際に第１カバー上に堆積した切粉等は傾斜部５を競り上がる作用を奏する。
また、カバー群１の移動体又は基台への取り付けを容易にするために、フランジ板４ａ，４ｂを設け、第１フランジ板４ａと第１カバー１ａの天板との接合部に傾斜部５を形成しているが、接合部に傾斜を設けず、接合部とは別に傾斜部５を形成する別の部品を用意し、これを組み付けるようにしても良い。また、カバーよりも大きいフランジ部がないものに適用しても良く、その場合も第１カバー１ａの端部とは別に、傾斜部５を形成する別部品を用意し、これを組み付けるようにしても良い。
【図面の簡単な説明】
【００１９】
【図１】本発明に係る摺動面保護装置の実施形態の一例を示す側面図である。
【図２】図１の摺動面保護装置の外観図である。
【図３】図１のＡ部拡大断面図である。
【図４】図１の摺動面保護装置が収縮した状態のＡ部端面図である。
【図５】従来の摺動面保護装置の部分端面図である。
【符号の説明】
【００２０】
１・・カバー群、１ａ・・第１カバー、１ｂ・・第２カバー、４ａ・・第１フランジ板、５・・傾斜部、６・・ワイパ。
【図１】
2006123126.tif 000003
【図２】
2006123126.tif 000004
【図３】
2006123126.tif 000005
【図４】
2006123126.tif 000006
【図５】
2006123126.tif 000007